【手続補正書】
【提出日】平成17年6月28日(2005.6.28)
【手続補正１】
【補正対象書類名】明細書
【補正対象項目名】特許請求の範囲
【補正方法】変更
【補正の内容】
【特許請求の範囲】
【請求項１】
透過部と反射部を備えた画素を有し、対向する第１の基板と第２の基板とを含む一対の電気光学装置用基板、およびその間に電気光学的物質を含む電気光学装置において、
前記一つの電気光学装置用基板が、第１の基板と、前記反射部に備えられた反射層と、赤色着色層、青色着色層および緑色着色層を有する複数の着色層と、を含み、
前記透過部における緑色着色層の厚さを、前記透過部における赤色着色層および青色着色層の厚さよりも薄くすることを特徴とする電気光学装置。
【請求項２】
透過部と反射部を備えた画素を有し、対向する第１の基板と第２の基板とを含む一対の電気光学装置用基板、およびその間に電気光学的物質を含む電気光学装置において、
前記一つの電気光学装置用基板が、第１の基板と、前記反射部に備えられた反射層と、を含み、もう一つの電気光学装置用基板が、第２の基板と、赤色着色層、青色着色層および緑色着色層を有する複数の着色層と、を含み、
前記透過部における緑色着色層の厚さを、前記透過部における赤色着色層および青色着色層の厚さよりも薄くすることを特徴とする電気光学装置。
【請求項３】
前記透過部に位置する赤色着色層および青色着色層に、それぞれ厚肉部を設けることを特徴とする請求項１または２に記載の電気光学装置。
【請求項４】
前記緑色着色層における着色剤濃度を、前記赤色着色層における着色剤濃度および前記青色着色層における着色剤濃度よりも少なくすることを特徴とする請求項１〜３のいずれか一項に記載の電気光学装置。
【請求項５】
前記透過部に位置する着色層の下方に、当該着色層の厚さを調整するための厚さ調整層を設けることを特徴とする請求項１〜４のいずれか一項に記載の電気光学装置。
【請求項６】
前記基板の表面に凹部を設けるとともに、当該凹部と重なる領域に、前記透過部を設けることを特徴とする請求項１〜５のいずれか一項に記載の電気光学装置。
【請求項７】
前記反射部に位置する緑色着色層の厚さと、赤色着色層の厚さと、青色着色層の厚さとを、それぞれ実質的に等しくすることを特徴とする請求項１〜６のいずれか一項に記載の電気光学装置。
【請求項８】
前記透過部に位置する緑色着色層の厚さをＧ１とし、前記反射部に位置する緑色着色層の厚さをＧ２としたときに、Ｇ１／Ｇ２で表される比率を１〜２の範囲内の値とすることを特徴とする請求項１〜７のいずれか一項に記載の電気光学装置。
【請求項９】
前記透過部に位置する赤色着色層の厚さをＲ１とし、前記反射部に位置する赤色着色層の厚さをＲ２としたときに、Ｒ１／Ｒ２で表される比率を１．１〜２．５の範囲内の値とすることを特徴とする請求項１〜８のいずれか一項に記載の電気光学装置。
【請求項１０】
前記透過部に位置する青色着色層の厚さをＢ１とし、前記反射部に位置する青色着色層の厚さをＢ２としたときに、Ｂ１／Ｂ２で表される比率を１．２〜３の範囲内の値とすることを特徴とする請求項１〜９のいずれか一項に記載の電気光学装置。
【請求項１１】
前記反射部の面積（Ａ１）に対する、前記透過部の面積（Ａ２）の面積比率（Ａ１／Ａ２）に関して、前記緑色着色層の面積比率を、前記赤色着色層および青色着色層の面積比率よりもそれぞれ大きくすることを特徴とする請求項１〜１０のいずれか一項に記載の電気光学装置。
【請求項１２】
前記緑色着色層、赤色着色層および青色着色層のそれぞれの透過光についてのＣＩＥ（１９３１）色度座標における色域面積を１．５×１０-2以上の値とすることを特徴とする請求項１〜１１のいずれか一項に記載の電気光学装置。
【請求項１３】
前記緑色着色層、赤色着色層および青色着色層のそれぞれの反射光についてのＣＩＥ（１９３１）色度座標における色域面積を１．１×１０-2以上の値とすることを特徴とする請求項１〜１２のいずれか一項に記載の電気光学装置。
【請求項１４】
前記透過光についてのＣＩＥ（１９３１）色度座標における色域面積をＣ１とし、前記反射光についてのＣＩＥ（１９３１）色度座標における色域面積をＣ２としたときに、Ｃ１／Ｃ２で表される比率を１．１〜６．０の範囲内の値とすることを特徴とする請求項１３に記載の電気光学装置。
【請求項１５】
前記緑色着色層、赤色着色層および青色着色層から得られる白色透過光についての透過率を、可視光域において、３０〜５５％の範囲内の値とすることを特徴とする請求項１〜１４のいずれか一項に記載の電気光学装置。
【請求項１６】
前記着色層上に保護膜を備えるとともに、当該保護膜の前記透過部と重なる領域に、開口部または実質的に光が通過できる薄肉部を設けることを特徴とする請求項１〜１５のいずれか一項に記載の電気光学装置。
【請求項１７】
前記着色層または保護膜上に配向膜を備えるとともに、当該配向膜の表面に凹部を形成するか、あるいは平坦化することを特徴とする請求項１〜１６のいずれか一項に記載の電気光学装置。
【請求項１８】
前記反射層が、表面に独立して形成された複数の凸部を有する反射基部と、反射膜とを含むことを特徴とする請求項１〜１７のいずれか一項に記載の電気光学装置。
【請求項１９】
前記透過部を実質的に覆う着色層と、前記反射部を実質的に覆う着色層とを、同種または同一の着色剤から構成することを特徴とする請求項１〜１８のいずれか一項に記載の電気光学装置。
【請求項２０】
前記透過部を実質的に覆う着色層と、前記反射部を実質的に覆う着色層とを、別種または色濃度が異なる着色剤から構成することを特徴とする請求項１〜１８のいずれか一項に記載の電気光学装置。
【請求項２１】
透過部と反射部を備えた画素を有し、基板と、反射部に備えられた反射層と、赤色着色層、青色着色層および緑色着色層を有する複数の着色層と、を含む電気光学装置用基板の製造方法において、
前記基板上に、前記反射層を形成する工程と、
前記反射部および透過部を実質的に覆うように着色層を配置する工程と、を含み、
前記着色層を透過部に配置するにあたり、前記緑色着色層の厚さを、前記赤色着色層および青色着色層の厚さよりも薄くすることを特徴とする電気光学装置用基板の製造方法。
【請求項２２】
透過部と反射部を備えた画素を有し、基板と、前記反射部に備えられた反射層と、赤色着色層、青色着色層および緑色着色層を有する複数の着色層と、を含む電気光学装置用基板において、
前記透過部における緑色着色層の厚さを、前記透過部における赤色着色層および青色着色層の厚さよりも薄くすることを特徴とする電気光学装置用基板。
【請求項２３】
請求項２１または２２に記載された電気光学装置と、当該電気光学装置を制御するための制御手段と、を備えることを特徴とする電子機器。
【手続補正２】
【補正対象書類名】明細書
【補正対象項目名】００１０
【補正方法】変更
【補正の内容】
【００１０】
【課題を解決するための手段】
本発明に係る電気光学装置用基板は、透過部と反射部を備えた画素を有し、基板と、前記反射部に備えられた反射層と、赤色着色層、青色着色層および緑色着色層を有する複数の着色層と、を含む電気光学装置用基板において、前記透過部における緑色着色層の厚さを、前記透過部における赤色着色層および青色着色層の厚さよりも薄くすることを特徴とする。
本発明の実施の形態に係る電気光学装置用基板によれば、基板と、反射部および開口部を有する反射層と、赤色着色層、青色着色層および緑色着色層を有する複数の着色層と、を含む電気光学装置用基板において、反射層の開口部における緑色着色層の厚さを、反射層の開口部における赤色着色層および青色着色層の厚さよりもそれぞれ薄くする電気光学装置用基板が提供され、上述した問題点を解決することができる。
すなわち、反射層の開口部における緑色着色層の厚さを他の着色層よりも薄くすることにより、視感度に影響しやすい緑色着色層の強い影響を排除し、他色とのバランスを良好なものとすることができる。
【手続補正３】
【補正対象書類名】明細書
【補正対象項目名】００１１
【補正方法】変更
【補正の内容】
【００１１】
また、本発明に係る電気光学装置は、前記透過部に位置する赤色着色層および青色着色層に、それぞれ厚肉部を設けることを特徴とする。
本発明の実施の形態に係る電気光学装置用基板を構成するにあたり、反射層の開口部に位置する赤色着色層および青色着色層に、それぞれ厚肉部を設けることが好ましい。
このように構成することにより、反射層の開口部に位置する赤色着色層および青色着色層を光透過させた場合に、緑色着色層よりも十分かつ均一に光吸収をして、色バランスに優れた着色光を外部に取り出すことができる。
【手続補正４】
【補正対象書類名】明細書
【補正対象項目名】００１２
【補正方法】変更
【補正の内容】
【００１２】
また、本発明に係る電気光学装置は、前記緑色着色層における着色剤濃度を、前記赤色着色層における着色剤濃度および前記青色着色層における着色剤濃度よりも少なくすることを特徴とする。
本発明の実施の形態に係る電気光学装置用基板を構成するにあたり、緑色着色層における着色剤濃度を、赤色着色層および青色着色層における着色剤濃度よりもそれぞれ少なくすることが好ましい。
このように構成することにより、赤色着色層および青色着色層が、緑色着色層よりも十分かつ均一に光吸収をして、色バランスに優れた着色光を外部に取り出すことができる。
【手続補正５】
【補正対象書類名】明細書
【補正対象項目名】００１３
【補正方法】変更
【補正の内容】
【００１３】
また、本発明に係る電気光学装置は、前記透過部に位置する着色層の下方に、当該着色層の厚さを調整するための厚さ調整層を設けることを特徴とする。
本発明の実施の形態に係る電気光学装置用基板を構成するにあたり、反射層の開口部に位置する着色層の下方に、当該着色層の厚さを調整するための厚さ調整層を設けることが好ましい。
このように構成することにより、反射層の開口部に位置する着色層の厚さの調整を容易に実施することができる。
【手続補正６】
【補正対象書類名】明細書
【補正対象項目名】００１４
【補正方法】変更
【補正の内容】
【００１４】
また、本発明に係る電気光学装置は、前記基板の表面に凹部を設けるとともに、当該凹部と重なる領域に、前記透過部を設けることを特徴とする。
本発明の実施の形態に係る電気光学装置用基板を構成するにあたり、基板の表面に凹部を設けるとともに、当該凹部と重なる領域に、前記反射層の開口部を設けることが好ましい。
このように構成することにより、反射層の開口部に位置する着色層の厚さをさらに厚くすることができるとともに、厚さ調整を容易にすることができる。
【手続補正７】
【補正対象書類名】明細書
【補正対象項目名】００１５
【補正方法】変更
【補正の内容】
【００１５】
また、本発明に係る電気光学装置は、前記反射部に位置する緑色着色層の厚さと、赤色着色層の厚さと、青色着色層の厚さとを、それぞれ実質的に等しくすることを特徴とする。
本発明の実施の形態に係る電気光学装置用基板を構成するにあたり、反射層の反射部に位置する緑色着色層の厚さと、赤色着色層の厚さと、青色着色層の厚さとを、それぞれ実質的に等しくすることが好ましい。
このように反射部における複数の着色層の厚さについては実質的に等しくすることにより、各色の光量の低下を抑えて、それぞれ明るい着色光を得ることができる。
【手続補正８】
【補正対象書類名】明細書
【補正対象項目名】００１６
【補正方法】変更
【補正の内容】
【００１６】
また、本発明に係る電気光学装置は、前記透過部に位置する緑色着色層の厚さをＧ１とし、前記反射部に位置する緑色着色層の厚さをＧ２としたときに、Ｇ１／Ｇ２で表される比率を１〜２の範囲内の値とすることを特徴とする。
本発明の実施の形態に係る電気光学装置用基板を構成するにあたり、反射層の開口部に位置する緑色着色層の厚さをＧ１とし、反射層の反射部に位置する緑色着色層の厚さをＧ２としたときに、Ｇ１／Ｇ２で表される比率を１〜２の範囲内の値とすることが好ましい。
このように構成することにより、反射型表示であっても、透過型表示であっても、それぞれの緑色着色層における色再現性と、明るさのバランスをより良好なものとすることができる。
【手続補正９】
【補正対象書類名】明細書
【補正対象項目名】００１７
【補正方法】変更
【補正の内容】
【００１７】
また、本発明に係る電気光学装置は、前記透過部に位置する赤色着色層の厚さをＲ１とし、前記反射部に位置する赤色着色層の厚さをＲ２としたときに、Ｒ１／Ｒ２で表される比率を１．１〜２．５の範囲内の値とすることを特徴とする。
本発明の実施の形態に係る電気光学装置用基板を構成するにあたり、反射層の開口部に位置する赤色着色層の厚さをＲ１とし、反射層の反射部に位置する赤色着色層の厚さをＲ２としたときに、Ｒ１／Ｒ２で表される比率を１．１〜２．５の範囲内の値とすることが好ましい。
このように構成することにより、反射型表示であっても、透過型表示であっても、それぞれの赤色着色層における色再現性と、明るさのバランスをより良好なものとすることができる。
【手続補正１０】
【補正対象書類名】明細書
【補正対象項目名】００１８
【補正方法】変更
【補正の内容】
【００１８】
また、本発明に係る電気光学装置は、前記透過部に位置する青色着色層の厚さをＢ１とし、前記反射部に位置する青色着色層の厚さをＢ２としたときに、Ｂ１／Ｂ２で表される比率を１．２〜３の範囲内の値とすることを特徴とする。
本発明の実施の形態に係る電気光学装置用基板を構成するにあたり、反射層の開口部に位置する青色着色層の厚さをＢ１とし、反射層の反射部に位置する青色着色層の厚さをＢ２としたときに、Ｂ１／Ｂ２で表される比率を１．２〜３の範囲内の値とすることが好ましい。
このように構成することにより、反射型表示であっても、透過型表示であっても、それぞれの青色着色層における色再現性と、明るさのバランスをより良好なものとすることができる。
【手続補正１１】
【補正対象書類名】明細書
【補正対象項目名】００１９
【補正方法】変更
【補正の内容】
【００１９】
また、本発明に係る電気光学装置は、前記反射部の面積（Ａ１）に対する、前記透過部の面積（Ａ２）の面積比率（Ａ１／Ａ２）に関して、前記緑色着色層の面積比率を、前記赤色着色層および青色着色層の面積比率よりもそれぞれ大きくすることを特徴とする。
本発明の実施の形態に係る電気光学装置用基板を構成するにあたり、反射層の反射部の面積（Ａ１）に対する、反射層の開口部の面積（Ａ２）の面積比率（Ａ１／Ａ２）に関して、緑色着色層の面積比率を、赤色着色層および青色着色層の面積比率よりもそれぞれ大きくすることが好ましい。
このように構成することにより、緑色着色層における反射部／開口部の面積比率を、他色よりも大きくすることにより、視感度に影響しやすい緑色着色層の強い影響を排除し、他色とのバランスを良好なものとすることができる。
【手続補正１２】
【補正対象書類名】明細書
【補正対象項目名】００２０
【補正方法】変更
【補正の内容】
【００２０】
また、本発明に係る電気光学装置は、前記緑色着色層、赤色着色層および青色着色層のそれぞれの透過光についてのＣＩＥ（１９３１）色度座標における色域面積を１．５×１０-2以上の値とすることを特徴とする。
本発明の実施の形態に係る電気光学装置用基板を構成するにあたり、緑色着色層、赤色着色層および青色着色層のそれぞれの透過光についてのＣＩＥ（１９３１）色度座標（単に、ＣＩＥ色度座標と略する場合がある。）における色域面積を１．５×１０-2以上の値とすることが好ましい。
このように透過光についての色域面積を所定値以上の値とすることにより、視感度に影響しやすい緑色着色層の強い影響を排除し、透過光についての明るさおよび彩度のバランスを向上させることができる。
【手続補正１３】
【補正対象書類名】明細書
【補正対象項目名】００２１
【補正方法】変更
【補正の内容】
【００２１】
また、本発明に係る電気光学装置は、前記緑色着色層、赤色着色層および青色着色層のそれぞれの反射光についてのＣＩＥ（１９３１）色度座標における色域面積を１．１×１０-2以上の値とすることを特徴とする。
本発明の実施の形態に係る電気光学装置用基板を構成するにあたり、緑色着色層、赤色着色層および青色着色層のそれぞれの反射光についてのＣＩＥ色度座標における色域面積を１．１×１０-2以上の値とすることが好ましい。
このように反射光についての色域面積を所定値以上の値とすることにより、視感度に影響しやすい緑色着色層の強い影響を排除し、反射光についての明るさおよび彩度のバランスを向上させることができる。
【手続補正１４】
【補正対象書類名】明細書
【補正対象項目名】００２２
【補正方法】変更
【補正の内容】
【００２２】
また、本発明に係る電気光学装置は、前記透過光についてのＣＩＥ（１９３１）色度座標における色域面積をＣ１とし、前記反射光についてのＣＩＥ（１９３１）色度座標における色域面積をＣ２としたときに、Ｃ１／Ｃ２で表される比率を１．１〜６．０の範囲内の値とすることを特徴とする。
本発明の実施の形態に係る電気光学装置用基板を構成するにあたり、透過光についてのＣＩＥ色度座標における色域面積をＣ１とし、反射光についてのＣＩＥ色度座標における色域面積をＣ２としたときに、Ｃ１／Ｃ２で表される比率を１．１〜６．０の範囲内の値とすることが好ましい。
このように透過光および反射光についての色域面積の比率を所定範囲の値とすることにより、反射型表示であっても、透過型表示であっても、視感度に影響しやすい緑色着色層の強い影響を排除し、それぞれの明るさおよび彩度のバランスを向上させることができる。
【手続補正１５】
【補正対象書類名】明細書
【補正対象項目名】００２３
【補正方法】変更
【補正の内容】
【００２３】
また、本発明に係る電気光学装置は、前記緑色着色層、赤色着色層および青色着色層から得られる白色透過光についての透過率を、可視光域において、３０〜５５％の範囲内の値とすることを特徴とする。
本発明の実施の形態に係る電気光学装置用基板を構成するにあたり、緑色着色層、赤色着色層および青色着色層から得られる白色透過光についての透過率を、可視光域において、３０〜５５％の範囲内の値とすることが好ましい。
白色透過光についての透過率を所定値とすることにより、視感度に影響しやすい緑色着色層の強い影響を排除し、白色透過光についての明るさおよび彩度のバランスを向上させることができる。
【手続補正１６】
【補正対象書類名】明細書
【補正対象項目名】００２４
【補正方法】変更
【補正の内容】
【００２４】
また、本発明に係る電気光学装置は、前記着色層上に保護膜を備えるとともに、当該保護膜の前記透過部と重なる領域に、開口部または実質的に光が通過できる薄肉部を設けることを特徴とする。
本発明の実施の形態に係る電気光学装置用基板を構成するにあたり、着色層上に保護膜を備えるとともに、当該保護膜の前記反射層の開口部と重なる領域に、開口部または実質的に光が通過できる薄肉部を設けることが好ましい。
このように構成することにより、光の透過を妨げることなく、電気光学装置用基板の機械的強度や耐熱性を高めることができる。
【手続補正１７】
【補正対象書類名】明細書
【補正対象項目名】００２５
【補正方法】変更
【補正の内容】
【００２５】
また、本発明に係る電気光学装置は、前記着色層または保護膜上に配向膜を備えるとともに、当該配向膜の表面に凹部を形成するか、あるいは平坦化することを特徴とする。
本発明の実施の形態に係る電気光学装置用基板を構成するにあたり、着色層または保護膜上に配向膜を備えるとともに、当該配向膜の表面に凹部を形成するか、あるいは平坦化することが好ましい。
このように構成することにより、液晶表示装置等の電気光学装置に使用した場合に、優れた表示特性を示すことができる。
【手続補正１８】
【補正対象書類名】明細書
【補正対象項目名】００２６
【補正方法】変更
【補正の内容】
【００２６】
また、本発明に係る電気光学装置は、前記反射層が、表面に独立して形成された複数の凸部を有する反射基部と、反射膜とを含むことを特徴とする。
本発明の実施の形態に係る電気光学装置用基板を構成するにあたり、反射層が、表面に独立して形成された複数の凸部を有する反射基部と、反射膜とを含むことが好ましい。
【手続補正１９】
【補正対象書類名】明細書
【補正対象項目名】００２７
【補正方法】変更
【補正の内容】
【００２７】
また、本発明に係る電気光学装置は、前記透過部を実質的に覆う着色層と、前記反射部を実質的に覆う着色層とを、同種または同一の着色剤から構成することを特徴とする。
本発明の実施の形態に係る電気光学装置用基板を構成するにあたり、反射層の開口部を実質的に覆う着色層と、反射層の反射部を実質的に覆う着色層とを、同種または同一の着色剤から構成することが好ましい。
このように構成することにより、比較的種類の少ない着色剤を使用した場合であっても、反射型表示および透過型表示におけるそれぞれの色再現性と、明るさとのバランスを良好なものとすることができる。
【手続補正２０】
【補正対象書類名】明細書
【補正対象項目名】００２８
【補正方法】変更
【補正の内容】
【００２８】
また、本発明に係る電気光学装置は、前記透過部を実質的に覆う着色層と、前記反射部を実質的に覆う着色層とを、別種または色濃度が異なる着色剤から構成することを特徴とする。
本発明の実施の形態に係る電気光学装置用基板を構成するにあたり、反射層の開口部を実質的に覆う着色層と、反射層の反射部を実質的に覆う着色層とを、別種または色濃度が異なる着色剤から構成することが好ましい。
このように構成することにより、反射型表示および透過型表示における、それぞれの色再現性と、明るさとのバランスをより良好なものとすることができる。
【手続補正２１】
【補正対象書類名】明細書
【補正対象項目名】００２９
【補正方法】変更
【補正の内容】
【００２９】
また、本発明に係る電気光学装置用基板の製造方法は、透過部と反射部を備えた画素を有し、基板と、反射部に備えられた反射層と、赤色着色層、青色着色層および緑色着色層を有する複数の着色層と、を含む電気光学装置用基板の製造方法において、前記基板上に、前記反射層を形成する工程と、前記反射部および透過部を実質的に覆うように着色層を配置する工程と、を含み、前記着色層を透過部に配置するにあたり、前記緑色着色層の厚さを、前記赤色着色層および青色着色層の厚さよりも薄くすることを特徴とする。
本発明の別の実施形態に係る態様は、基板と、反射部および開口部を有する反射層と、赤色着色層、青色着色層および緑色着色層を有する複数の着色層と、を含む電気光学装置用基板の製造方法であって、基板上に、反射部および開口部を有する反射層を形成する工程と、反射層の反射部および開口部を実質的に覆うように着色層を配置する工程と、を含み、着色層を反射層の開口部に配置するにあたり、緑色着色層の厚さを、赤色着色層および青色着色層の厚さよりも薄くする電気光学装置用基板の製造方法が提供される。
すなわち、電気光学装置用基板の反射層の開口部における緑色着色層の厚さを他色よりも薄くすることにより、視感度に影響しやすい緑色着色層の強い影響を 
排除し、他色とのバランスが良好な電気光学装置用基板を効率的に提供することができる。
【手続補正２２】
【補正対象書類名】明細書
【補正対象項目名】００３０
【補正方法】変更
【補正の内容】
【００３０】
また、本発明に係る電気光学装置は、透過部と反射部を備えた画素を有し、対向する第１の基板と第２の基板とを含む一対の電気光学装置用基板、およびその間に電気光学的物質を含む電気光学装置において、前記一つの電気光学装置用基板が、第１の基板と、前記反射部に備えられた反射層と、赤色着色層、青色着色層および緑色着色層を有する複数の着色層と、を含み、前記透過部における緑色着色層の厚さを、前記透過部における赤色着色層および青色着色層の厚さよりも薄くすることを特徴とする。
本発明の別の実施形態に係る態様は、対向する第１の基板と第２の基板とを含む一対の電気光学装置用基板、およびその間に電気光学的物質を含む電気光学装置であって、一つの電気光学装置用基板が、第１の基板と、反射部および開口部を有する反射層と、赤色着色層、青色着色層および緑色着色層を有する複数の着色層と、を含み、反射層の開口部における緑色着色層の厚さを、反射層の開口部における赤色着色層および青色着色層の厚さよりもそれぞれ薄くする電気光学装置が提供される。
すなわち、電気光学装置の反射層の開口部における緑色着色層の厚さを他より薄くすることにより、視感度に影響しやすい緑色着色層の強い影響を排除し、他の色とのバランスを良好なものとする。
【手続補正２３】
【補正対象書類名】明細書
【補正対象項目名】００３１
【補正方法】変更
【補正の内容】
【００３１】
また、本発明に係る電気光学装置は、透過部と反射部を備えた画素を有し、対向する第１の基板と第２の基板とを含む一対の電気光学装置用基板、およびその間に電気光学的物質を含む電気光学装置において、前記一つの電気光学装置用基板が、第１の基板と、前記反射部に備えられた反射層と、を含み、もう一つの電気光学装置用基板が、第２の基板と、赤色着色層、青色着色層および緑色着色層を有する複数の着色層と、を含み、前記透過部における緑色着色層の厚さを、前記透過部における赤色着色層および青色着色層の厚さよりも薄くすることを特徴とする。
本発明の別の実施の形態に係る態様は、対向する第１の基板と第２の基板とを含む一対の電気光学装置用基板、およびその間に電気光学的物質を含む電気光学装置であって、一つの電気光学装置用基板が、第１の基板と、反射部および開口部を有する反射層と、を含み、もう一つの電気光学装置用基板が、第２の基板と、赤色着色層、青色着色層および緑色着色層を有する複数の着色層と、を含み、反射層の開口部における緑色着色層の厚さを、反射層の開口部における赤色着色層および青色着色層の厚さよりもそれぞれ薄くする電気光学装置が提供される。
すなわち、電気光学装置の反射層の開口部における緑色着色層の厚さを他より薄くすることにより、視感度に影響しやすい緑色着色層の強い影響を排除し、他の色とのバランスを良好なものとすることができる。